(57)【要約】      （修正有）【課題】スーパーマーケット等の食品売り場等の店舗用カゴに収納でき、環境保護に寄与でき、長尺野菜以外の食品が外部に露出することがない買物用バッグを提供すること。【解決手段】長手方向の第１側面部１３、第２側面部１４と幅方向の第１マチ部１１、第２マチ部１２及び底面部２とからなり方形状開口となり且つ店舗用カゴＣに収容可能とした収納部Ａと、第１側面部１３及び第２側面部１４に対して外方に折り返し自在とした第１覆い部３３と第２覆い部３４と、第１マチ部１１と第２マチ部１２に対して外方に折返し自在とした第１マチ覆い部３１と第２マチ覆い部３２とを有する覆いカバーＢとを備えること。第１マチ覆い部３１、第１覆い部３３、第２覆い部３４、第２マチ覆い部３２に亘ってファスナ４が設けられる。第１マチ覆い部３１と第２マチ覆い部３２の少なくとも何れか一方は、幅方向中間箇所で非連続となる端縁が形成され、両端縁が所定間隔をおいて離間して構成されるスリット部Ｓが設けられる。【選択図】図１
0003229210.tif 000002
【実用新案登録請求の範囲】
【請求項１】
長手方向を構成する第１側面部，第２側面部と幅方向を構成する第１マチ部，第２マチ部及び底面部とからなり上端が方形状開口となり且つ標準の店舗用カゴに適正に収容可能とした収納部と、前記第１側面部及び前記第２側面部に対して外方に折り返し自在とした第１覆い部と第２覆い部と、前記第１マチ部と前記第２マチ部に対して外方に折返し自在とした第１マチ覆い部と第２マチ覆い部とを有する覆いカバーとを備え、前記第１マチ覆い部の幅方向中間の上端を起点として、前記第１覆い部と前記第２覆い部及び前記第２マチ覆い部の幅方向中間の上端に亘ってファスナが設けられ、前記第１マチ覆い部と前記第２マチ覆い部の少なくとも何れか一方は、幅方向中間箇所で非連続となる端縁が形成され、両該端縁が所定間隔をおいて離間して構成されるスリット部が設けられてなることを特徴とする買物用バッグ。
【請求項２】
請求項１に記載の買物用バッグにおいて、前記スリット部は前記第１マチ覆い部に設けられてなることを特徴とする買物用バッグ。
【請求項３】
請求項１に記載の買物用バッグにおいて、前記スリット部は前記第２マチ覆い部に設けられてなることを特徴とする買物用バッグ。
【請求項４】
請求項１に記載の買物用バッグにおいて、前記スリット部は前記第１マチ覆い部及び前記第２マチ覆い部にそれぞれ設けられてなることを特徴とする買物用バッグ。
【請求項５】
請求項１，２，３又は４の何れか１項に記載の買物用バッグにおいて、前記第１マチ覆い部と前記第２マチ覆い部には外方に突出するように折り畳められた状態を維持する外雄ホックと外雌ホックが備えられてなることを特徴とする買物用バッグ。
【請求項６】
請求項１，２，３，４又は５の何れか１項に記載の買物用バッグにおいて、前記第１マチ覆い部と前記第２マチ覆い部には内方に突出するように折り畳められた状態を維持する内雄ホックと内雌ホックが備えられてなることを特徴とする買物用バッグ。
【請求項７】
請求項１，２，３，４，５又は６の何れか１項に記載の買物用バッグにおいて、前記第１覆い部と前記第２覆い部に手提げ部が設けられてなることを特徴とする買物用バッグ。
【請求項８】
請求項１，２，３，４，５又は６の何れか１項に記載の買物用バッグにおいて、前記第１側面部と前記第２側面部に手提げ部が設けられてなることを特徴とする買物用バッグ。
【請求項９】
請求項１，２，３，４，５，６，７又は８の何れか１項に記載の買物用バッグにおいて、前記収納部の内面側には保冷・保温シートが施されてなることを特徴とする買物用バッグ。
【請求項１０】
請求項１，２，３，４，５，６，７，８又は９の何れか１項に記載の買物用バッグにおいて、前記収納部，前記覆いカバーは、折り畳み且つ巻き付け可能としてなることを特徴とする買物用バッグ。
【請求項１１】
請求項１０に記載の買物用バッグにおいて、折り畳まれた前記収納部，前記覆いカバーを外周から締付固定する締付バンドが前記収納部，前記覆いカバー又は前記手提げ部の何れかに装着されてなることを特徴とする買物用バッグ。
【考案の詳細な説明】
【技術分野】
【０００１】
本考案は、スーパーマーケット，コンビニエンスストア，デパートの食品売り場等の店舗用カゴに収納でき、環境保護に寄与できる買物用バッグに関する。
【背景技術】
【０００２】
従来、スーパーマーケット，コンビニエンスストア，デパート等の食品売り場において、食品を購入するときに、これら食品を収納するプラスチック素材の収納袋が無料で提供されていた。よって、買物客は、買物を行い、店舗から提供される収納袋に商品を詰め込むことにより、略手ぶら状態か財布等をいれる小さなバッグのみを持参して買い物ができた。
【０００３】
しかし、近年では店舗が無料で提供していたプラスチック製の収納袋は、環境破壊に結びつくこととなり、プラスチック製収納袋の使用を極力減少させようとする傾向にある。そのために、店舗に用意されたプラスチック製収納袋は有料化が進み、買物客に対して、できるだけバッグを持参するような意識に促されている。このようなことから、スーパーマーケット，コンビニエンスストア，デパート等の食品売り場に適応した種々の買物用のバッグが出現している。この種の具体的なものとして、例えば特許文献１が挙げられる。
【先行技術文献】
【特許文献】
【０００４】
【特許文献１】特開２００４−７８４号公報
【考案の概要】
【考案が解決しようとする課題】
【０００５】
一般的に、買物用バッグは、特許文献１に開示されているように、買物カゴつまり、スーパーマーケット，コンビニエンスストア，デパート等の食品売り場に備えられたカゴにその主要な収納部が納まるように構成されたものである。この種のものでは、購入品が収められる袋の部分に対して、袋の上部周辺に紐通し部が設けられ、この通し部に開閉紐が通され、該開閉紐を引くことにより、開口が窄まり、開口を閉じることができる。或いは蓋となる部材が設けられ、収納袋の開口を覆うようにすることもできる。
【０００６】
ところで、野菜等には、長ネギ，ゴボウ，大根等の長尺なものを購入する機会は極めて多い。特に長ネギ，ゴボウはかなり長尺であり、通常の買い物用バッグでは、収納しきれないものである。そのため、買物用バッグの収納袋の開口はそのまま開いた状態にしなければ、上記長尺野菜を収納できず、雨天時の持ち帰りの際には、他の食品も濡らしてしまうことになる。
【０００７】
また、買物用バッグの開きっ放しを好まない買い物客も存在する。そこで、本考案が解決しようとする技術的課題（目的）は、長尺な野菜を収納しても、バッグの開口を開きっ放しにすることなく、長尺野菜以外の食品が外部に露出することがないようにできる買物用バッグを提供することにある。
【課題を解決するための手段】
【０００８】
そこで、考案者は、上記課題を解決すべく、鋭意，研究を重ねた結果、請求項１の考案を、長手方向を構成する第１側面部，第２側面部と幅方向を構成する第１マチ部，第２マチ部及び底面部とからなり上端が方形状開口となり且つ標準の店舗用カゴに適正に収容可能とした収納部と、前記第１側面部及び前記第２側面部に対して外方に折り返し自在とした第１覆い部と第２覆い部と、前記第１マチ部と前記第２マチ部に対して外方に折返し自在とした第１マチ覆い部と第２マチ覆い部とを有する覆いカバーとを備え、前記第１マチ覆い部の幅方向中間の上端を起点として、前記第１覆い部と前記第２覆い部及び前記第２マチ覆い部の幅方向中間の上端に亘ってファスナが設けられ、前記第１マチ覆い部と前記第２マチ覆い部の少なくとも何れか一方は、幅方向中間箇所で非連続となる端縁が形成され、両該端縁が所定間隔をおいて離間して構成されるスリット部が設けられてなる買物用バッグとしたことにより、上記課題を解決した。
【０００９】
請求項２の考案を、請求項１に記載の買物用バッグにおいて、前記スリット部は前記第１マチ覆い部に設けられてなる買物用バッグとしたことにより、上記課題を解決した。請求項３の考案を、請求項１に記載の買物用バッグにおいて、前記スリット部は前記第２マチ覆い部に設けられてなる買物用バッグとしたことにより、上記課題を解決した。
【００１０】
請求項４の考案を、請求項１に記載の買物用バッグにおいて、前記スリット部は前記第１マチ覆い部及び前記第２マチ覆い部にそれぞれ設けられてなる買物用バッグとしたことにより、上記課題を解決した。請求項５の考案を、請求項１，２，３又は４の何れか１項に記載の買物用バッグにおいて、前記第１マチ覆い部と前記第２マチ覆い部には外方に突出するように折り畳められた状態を維持する外雄ホックと外雌ホックが備えられてなる買物用バッグとしたことにより、上記課題を解決した。
【００１１】
請求項６の考案を、請求項１，２，３，４又は５の何れか１項に記載の買物用バッグにおいて、前記第１マチ覆い部と前記第２マチ覆い部には内方に突出するように折り畳められた状態を維持する内雄ホックと内雌ホックが備えられてなる買物用バッグとしたことにより、上記課題を解決した。請求項７の考案を、請求項１，２，３，４，５又は６の何れか１項に記載の買物用バッグにおいて、前記第１覆い部と前記第２覆い部に手提げ部が設けられてなる買物用バッグとしたことにより、上記課題を解決した。
【００１２】
請求項８の考案を、請求項１，２，３，４，５又は６の何れか１項に記載の買物用バッグにおいて、前記第１側面部と前記第２側面部に手提げ部が設けられてなる買物用バッグとしたことにより、上記課題を解決した。請求項９の考案としたことにより、上記課題を解決した。請求項９の考案を、請求項１，２，３，４，５，６，７又は８の何れか１項に記載の買物用バッグにおいて、前記収納部の内面側には保冷・保温シートが施されてなる買物用バッグとしたことにより、上記課題を解決した。
【００１３】
請求項１０の考案を、請求項１，２，３，４，５，６，７，８又は９の何れか１項に記載の買物用バッグにおいて、前記収納部，前記覆いカバーは、折り畳み且つ巻き付け可能としてなる買物用バッグとしたことにより、上記課題を解決した。請求項１１の考案では、請求項１１に記載の買物用バッグにおいて、折り畳まれた前記収納部，前記覆いカバーを外周から締付固定する締付バンドが前記収納部，前記覆いカバー又は前記手提げ部の何れかに装着されてなる買物用バッグとしたことにより、上記課題を解決した。
【考案の効果】
【００１４】
請求項１の考案では、第１マチ覆い部と第２マチ覆い部の少なくとも何れか一方は、幅方向中間箇所で非連続となる端縁が形成され、両該端縁が所定間隔をおいて離間して構成されるスリット部が設けられたことで、収納部には、該収納部に収まる食品等が収納される。そして、長ネギ，ゴボウ等の長尺野菜のように、収納部に収納したときに、全体を収納しきれないものでは、前記スリット部から一部を突出させることができ、商品の形状を崩すことなく収納できる。
【００１５】
また、第1側面部及び第２側面部に対して外方に折り返し自在とした第１覆い部と第２覆い部と、第１マチ部と第２マチ部に対して外方に折返し自在とした第１マチ覆い部と第２マチ覆い部とから構成される覆いカバーは、収納部の外方に折り返される構成により、収納部は店舗に備えられた店舗用カゴに収納し、長尺な長ネギをそのまま買物用バッグにおける長手方向に沿って収納配置し、あとは覆い部によって収納部の開口を覆う過程で、長尺野菜の一部が、スリット部の内方から外方に向かって突出する状態にすることが、極めて簡単にできる。
【００１６】
請求項２の考案では、スリット部は第１マチ覆い部に設けられ、請求項３の考案では前記スリット部は前記第２マチ覆い部に設けられてなることにより、スリット部が設けられない第１マチ覆い部又は第２マチ覆い部は二つに離間されない一枚構成となり、覆いカバーを収納部に対して外方に折り返したときに、店舗用カゴに安定した状態で設置できる。請求項４の考案では、スリット部は第１マチ覆い部及び第２マチ覆い部にそれぞれ設けられたことにより、収納部に全体が収まりきれない長尺野菜の一部は第１マチ覆い部及び第２マチ覆い部の何れからでも突出させることができる。
【００１７】
請求項５の考案では、第１マチ覆い部と第２マチ覆い部には外方に突出するように折り畳められた状態を維持する外雄ホックと外雌ホックが備えられたことにより、収納部に商品が収納され、持ち帰り状態としたときの買物用バッグの形状を安定した状態に維持できる。請求項６の考案では買物用バッグにおいて、前記第１マチ覆い部と前記第２マチ覆い部には内方に突出するように折り畳められた状態を維持する内雄ホックと内雌ホックが備えられたことで、本考案の買物用バッグの非使用時における折り畳みの状態を安定させることができる。
【００１８】
請求項７の考案では、第１覆い部と第２覆い部に手提げ部が設けられたことにより、手提げ部は有効に使用でき、肩掛けタイプのトートバッグ的な使用が可能となる。請求項８の考案では、第１側面部及び第２側面部に手提げ部が設けられたことにより、買物用バッグ全体の強度及び耐久性を向上させることができる。請求項９の考案では、収納部の内面側には保冷・保温シートが施されたことにより、冷蔵用或いは冷凍用食品の収納に便利なものとなる。
【００１９】
請求項１０の考案では、前記収納部，前記覆いカバーは、折り畳み且つ巻き付け可能としてなる買物用バッグとしたことにより、該買物用バッグをコンパクトにまとめることができ、この状態で、小型のバッグに収納できる。これによって、スーパーマーケット，コンビニエンスストア，デパート等の食品売り場で大型バッグをわざわざ持って行くことなく、有料化となったプラスチック素材の袋を購入しなくても、本考案の買物用バッグによって気軽に買い物を行うことができる。
【００２０】
請求項１１の考案では、買物用バッグにおいて、折り畳まれた前記収納部，前記覆いカバーを外周から締付固定する締付バンドが前記収納部，前記覆いカバー又は前記手提げ部の何れかに装着されてなる買物用バッグとしたことにより、ロール状等に折り畳まれた買物用バッグを締付バンドで固定することができ、携帯するときに極めて好適な状態にすることができる。
【図面の簡単な説明】
【００２１】
【図１】（Ａ）は本考案の第１実施形態における買物用バッグの斜視図、（Ｂ）は本考案の買物用バッグが店舗用カゴに収容された状態の斜視図である。
【図２】（Ａ）は図１（Ａ）のＹ1−Ｙ1矢視の端面略示図、（Ｂ）は（Ａ）において覆いカバーを収納部に折り返した状態図、（Ｃ）は（Ａ）の（α）部拡大図、（Ｄ）は（Ａ）の（β）部拡大図、（Ｅ）は（Ａ）の（γ）部拡大図である。
【図３】（Ａ）は図１（Ａ）のＸ1−Ｘ1矢視の端面略示図、（Ｂ）は図１（Ａ）のＸ2−Ｘ2矢視の端面略示図、（Ｃ）は覆いカバーの第１マチ覆い部箇所における拡大斜視図、（Ｄ）は覆いカバーの第１マチ覆い部を外方に突出させた状態の要部拡大斜視図、（Ｅ）は覆いカバーの第２マチ覆い部箇所における拡大斜視図である。
【図４】（Ａ）は本考案の買物用バッグに長ネギ等の長尺野菜を収納してその一部をスリット部から突出させた状態の斜視図、（Ｂ）は本考案の買物用バッグに長ネギ等の長尺野菜を収納してその一部をスリット部から突出させた状態の縦断側面略示視図である。
【図５】（Ａ）は本考案の第１実施形態の変形例の斜視図、（Ｂ）は本考案の第１実施形態の別の変形例の斜視図である。
【図６】（Ａ）は本考案の第２実施形態における買物用バッグに締付バンドが設けられた斜視図、（Ｂ）は本考案の第２実施形態の変形例を示す要部斜視図、（Ｃ）は本考案の第２実施形態の別の変形例を示す要部斜視図である。
【図７】（Ａ）〜（Ｅ）は本考案の第２実施形態における買物用バッグをロール状に折り畳む行程を示す斜視図である。
【考案を実施するための形態】
【００２２】
以下、本考案の実施形態を図面に基づいて説明する。本考案の買物用バッグの説明の前提として方向を示す文言が使用され、長手方向，幅方向及び上下方向が存在するものである。これらの方向に基づいて説明を行う。本考案の買物用バッグにおいては、第１実施形態と第２実施形態が存在し、第１実施形態から説明する。本考案の買物用バッグは、主に収納部Ａと覆いカバーＢとを備えている〔図１（Ａ），図２等参照〕。収納部Ａは、折り畳み可能であり、組み立てた状態のときには略直方体状に構成される〔図１（Ａ）参照〕。また、収納部Ａは、特に図示しないが、構成する面が正方形である略立方体となることもある。
【００２３】
収納部Ａは、幅方向における面を構成する第１マチ部１１，第２マチ部１２と、長手方向における面を構成する第１側面部１３，第２側面部１４及び底面部２からなる〔図１（Ａ），図２（Ａ），図３（Ａ）参照〕。収納部Ａは、標準の店舗用カゴＣに適正な状態で収容可能となる。さらに、収納部Ａは、上端が方形状の開口を有している。
【００２４】
また、覆いカバーＢについては、収納部Ａの第１マチ部１１，第２マチ部１２の上端よりこれらの外方に向かって折返し自在とした第１マチ覆い部３１と第２マチ覆い部３２が設けられている。また、収納部Ａの第１側面部１３，第２側面部１４の上端より、これらに対して外方に向かって折り返し自在とした第１覆い部３３と第２覆い部３４が設けられている〔図１（Ａ），（Ｂ），図２（Ａ），（Ｂ）等参照〕。
【００２５】
そして、前記覆いカバーＢは、第１マチ覆い部３１，第２マチ覆い部３２，第１覆い部３３及び第２覆い部３４とを備え、第１マチ覆い部３１の幅方向中間の上端を起点として、第１覆い部３３と第２覆い部３４の上端と、第２マチ覆い部３２部の幅方向中間の上端に亘ってファスナ４が設けられている。ファスナ４によって、幅方向の略中央で二つ折りとした第１マチ覆い部３１と、第１覆い部３３と第２覆い部３４同士と、幅方向の略中央で二つ折りにした第２マチ覆い部３２を連続して接合するものである〔図３（Ｄ），図４（Ａ）等参照〕。
【００２６】
次に、前記第１マチ覆い部３１と第２マチ覆い部３２の少なくとも何れか一方は、幅方向中間箇所でスリット部Ｓが設けられている〔図１（Ａ），図３（Ｂ），（Ｃ），（Ｄ），（Ｅ）参照〕。スリット部Ｓについて、詳述すると、まず第１マチ覆い部３１側では、幅方向中間箇所で、右覆い片３１１及び左覆い片３１２の二つに分離され、右覆い片３１１の幅方向内方側の端部を端縁３１１ａとし、左覆い片３１２の幅方向内方側の幅方向内方側の端部を端縁３１２ａとする。両端縁３１１ａ，３１２ａは上下方向に沿って垂直状に形成されている。端縁３１１ａ及び端縁３１２ａは、その縁を厚い当布が縫い付けられて補強されている。なお、第１マチ覆い部３１における右覆い片３１１及び左覆い片３１２における左右とは、買物用バッグの外方から見た状態を基準とする。
【００２７】
右覆い片３１１の端縁３１１ａと、左覆い片３１２の端縁３１２ａとは、所定間隔をおいて対向し、その所定間隔がスリット部Ｓとなる。つまり、該スリット部Ｓは、第１マチ覆い部３１の上下方向に沿って延在する縦長状の空隙となる〔図１（Ａ），図３（Ｂ），（Ｃ），（Ｄ）参照〕。
【００２８】
同様に、第２マチ覆い部３２側では、該第２マチ覆い部３２が、幅方向中間箇所で、右覆い片３２１及び左覆い片３２２の二つに分離され、右覆い片３２１の幅方向内方側の端部を端縁３２１ａとし、左覆い片３２２の幅方向内方側の幅方向内方側の端部を端縁３２２ａとする。なお、第２マチ覆い部３２においても右覆い片３２１及び左覆い片３２２における左右とは、買物用バッグの外方から見た状態を基準とする。
【００２９】
そして、第１マチ覆い部３１と同様に、第２マチ覆い部３２側では、幅方向中間箇所で、右覆い片３２１及び左覆い片３２２の二つに分離され、右覆い片３２１の幅方向内方側の端部を端縁３２１ａとし、左覆い片３２２の幅方向内方側の幅方向内方側の端部を端縁３２２ａとする。両端縁３２１ａ，３２２ａは上下方向に沿って垂直状に形成されている。端縁３２１ａ及び端縁３２２ａは、その縁を厚い当布が縫い付けられて補強されている。右覆い片３２１の端縁３２１ａと、左覆い片３２２の端縁３２２ａとは、所定間隔をおいて対向し、その所定間隔がスリット部Ｓとなる。
【００３０】
つまり、第２マチ覆い部３２側のスリット部Ｓについても、第１マチ覆い部３１に設けられるスリット部Ｓと略同様の構成である〔図１（Ａ），図３（Ｂ），（Ｅ）参照〕。但し、第１マチ覆い部３１側のスリット部Ｓは、ファスナ４の起点となり、ファスナ４の布シートによって連結されている。一方、第２マチ覆い部３２側のスリット部Ｓは、上端が分離され、完全に離間するように構成されている。
【００３１】
スリット部Ｓの実施形態としては、第１マチ覆い部３１と第２マチ覆い部３２の両方に設けられるものである〔図１（Ａ）参照〕。また、スリット部Ｓの変形例として、スリット部Ｓは第１マチ覆い部３１にのみ設けられ、第２マチ覆い部３２には設けられない実施形態が存在する〔図５（Ａ）参照〕。スリット部Ｓの実施形態の別の変形例として第２マチ覆い部３２にのみ設けられ、第１マチ覆い部３１には設けられない実施形態が存在する〔図５（Ｂ）参照〕。なお、第１マチ覆い部３１と、第１覆い部３３及び第２覆い部３４とは角形状に連続するように縫製されており、また、同様に、第２マチ覆い部３２と、第１覆い部３３及び第２覆い部３４とは角形状に連続するように縫製されている〔図１（Ａ），図３（Ｂ），図５等参照〕。
【００３２】
次に、覆いカバーＢは、収納部Ａの開口を覆うようにファスナ４で閉じたときに、第１マチ覆い部３１と第２マチ覆い部３２とは、それぞれが上下方向に沿う折れ線に沿って二つ折り状態にとして、収納部Ａの外方に突出するように折り畳められる〔図３（Ｃ），図４（Ａ）等参照〕。そして、第１マチ覆い部３１と第２マチ覆い部３２とが折り畳まれた状態を安定的に維持させるために、中間の折れ線の付近の両側に外雄ホック５１と外雌ホック５２が備えられる〔図１（Ａ），図３（Ｃ）参照〕。
【００３３】
次に、買物用バッグを使用しないときで且つ折り畳むときには、覆いカバーＢは、第１マチ覆い部３１と第２マチ覆い部３２とは、それぞれが上下方向に沿う折れ線に沿って二つ折り状態にとして、収納部Ａの内方に引き込むように突出して折り畳められる〔図３（Ａ）点線部分参照〕。具体的には、第１マチ覆い部３１では、右覆い片３１１と左覆い片３１２とが重合するようにして折り畳まれ、第２マチ覆い部３２では、右覆い片３２１と左覆い片３２２とが重合するように折り畳まれる。そして、第１マチ覆い部３１と第２マチ覆い部３２とが折り畳まれた状態を安定的に維持させるために、中間の折れ線の付近の両側に内雄ホック５３と内雌ホック５４が備えられる〔図１（Ａ），図３（Ｃ）参照〕。
【００３４】
買物用バッグを使用するときには、覆いカバーＢの第１マチ覆い部３１と第２マチ覆い部３２とは、それぞれが上下方向に沿う折れ線に沿って二つ折り状態にとして、収納部Ａの外方に突出するようにして折り畳められる。このときには、第１マチ覆い部３１では、右覆い片３１１と左覆い片３１２とが収納部Ａの長手方向の外方に向かって突出し、第２マチ覆い部３２では、右覆い片３２１と左覆い片３２２とが収納部Ａの長手方向の外方に向かって突出する状態となる（図４参照）。また、手提げ部６については、Ｕ字形状のものが使用され、収納部Ａの第１覆い部１３と第２覆い部１４に設けられる〔図１（Ａ）参照〕。また、手提げ部６は、覆いカバーＢの第１覆い部３３と第２覆い部３４に設けられることもある〔図５（Ｂ）参照〕。
【００３５】
本考案における買物用バッグは、合成樹脂素材により構成される。収納部Ａは、表面側の生地は合成樹脂製であり、内面側の生地は保冷・保温性を有する保冷・保温シートＡｉが使用される。また、収納部Ａの第１マチ部１１，第２マチ部１２，第１側面部１３，第２側面部１４と、底面部２とは、直角となり易いように縫製されている〔図３（Ａ），（Ｃ）参照〕。また、表側生地と裏側生地とは、その端部が折り返されて、その折返し端部同士が補強布によって縫い付けられている。また、収納部Ａと覆いカバーＢにおける表面側の生地同士と、内面側の生地同士の縫製についても、適宜端部が折り返され縫製されている〔図２（Ｄ），（Ｅ）参照〕。
【００３６】
収納部Ａを構成する生地としては、第１マチ部１１，第２マチ部１２，第１側面部１３，第２側面部１４及び底面部２において、それぞれは表面側の生地と内面側の生地の二枚構成としている。各部分の表面側の生地には符号となる数字の後にｆを付し、内面側の生地として符号となる数字の後にｒを付している。
【００３７】
図２では、収納部Ａにおいて、第１側面部１３は、表面側生地１３ｆと内面側生地１３ｒとを有し、第２側面部１４は表面側生地１４ｆと内面側生地１４ｒとを有し、底面部２は、表面側生地２ｆと、内面側生地２ｒとを有している。内面側生地１３ｒ，１４ｒ及び２ｒは、前述した保冷・保温シートＡｉが使用される。そして、それぞれの表面側の生地がポリエステルで約０．４mm程度としており、また、内面側の生地が、アルミ蒸着が施されたシート材であり、約１.６mm程度である。
【００３８】
また、同様に覆いカバーＢにおける第１マチ覆い部３１，第２マチ覆い部３２，第１覆い部３３及び第２覆い部３４についても表面側の生地と、内面側の生地を有しており、それぞれの表面側の生地には符号となる数字の後にｆを付し、内面側の生地には符号となる数字の後にｒを付す。よって、第１マチ覆い部３１は、表面側生地３１ｆと内面側生地３１ｒにより構成され、第２マチ覆い部３２は表面側生地３２ｆと内面側生地３２ｒにより構成され、第１覆い部３３は表面側生地３３ｆと内面側生地３３ｒにより構成され、第２覆い部３４は表面側生地３４ｆと内面側生地３４ｒにより構成される。
【００３９】
ファスナ４は、ナイロン(登録商標)等の合成樹脂のものが使用されるが、金属製又は布製ファスナでも良い。覆いカバーＢを構成する第１マチ覆い部３１，第２マチ覆い部３２，第１覆い部３３及び第２覆い部３４は、表面側の生地が、収納部Ａと同様に、ポリエステルで約０．４mm程度であり、内面側の生地が同様に、ポリエステルで約０．０７mm程度としている。
【００４０】
収納部Ａ及び覆いカバーＢを構成する材質は、上記に限定されず、その他の適した材質のものであれば、どのような材質でも構わない。また、本考案の買物用バッグの内部、すなわち収納部Ａ内には小物入れようのポケット１５が備わっていることもある。該ポケット１５は、その上端箇所が、収納部Ａと覆いカバーＢとの境目の縫い合わせ箇所に組込まれている。該ポケットは、図１（Ａ），図２（Ａ），（Ｂ）及び図５に想像線(二点鎖線)にて示されている。ポケット１５は、必要に応じて設けられるものであり、買物用バッグに備えられないこともある。
【００４１】
次に、本考案の買物用バッグにおける第２実施形態を説明する（図６及び図示７参照）。この第２実施形態では、本考案の買物用バッグをコンパクトなサイズに折り畳み可能としたものである。この実施形態についても、基本構成は第１実施形態と略同等であり、収納部Ａ，覆いカバーＢ及び手提げ部６から構成され、縫製構造も同様である。
【００４２】
したがって、第２実施形態における収納部Ａにおける第１マチ部１１，第２マチ部１２，第１側面部１３，第２側面部１４及び覆いカバーＢにおける第１マチ覆い部３１，第２マチ覆い部３２，第１覆い部３３，第２覆い部３４の構成は、第１実施形態と同様であるので、第１実施形態の説明を参照されると共に、図１乃至図５も第２実施形態の構成を示す図として参照されたい。
【００４３】
この第２実施形態では、本考案の買物用バッグを略長方形状となるように複数回折り曲げつつ、折り畳み、さらにロール状に巻き付けて筒状となるように構成されたものである（図６，図７参照）。そこで、収納部Ａ及び覆いカバーＢは、特に、柔軟性を有する材質や、特に厚さの薄い材質のものが使用される。基本的には、前述した第１実施形態におけるポリエステル等の合成樹脂繊維で、且つ薄手で柔軟性を有する生地が使用される。
【００４４】
特に収納部Ａを構成する第１マチ部１１，第２マチ部１２，第１側面部１３，第２側面部１４及び底面部２の内面側生地となる保冷・保温シートＡｉは、アルミ蒸着としたもので、柔軟性のある極めて薄いものが使用されたり、或いは収納部Ａの内面側の生地として、前記保冷・保温シートＡｉはポリエステルとした生地で厚みが約０．１mm〜０.３mm程度であり、好適には約０．１１mm程度としたものが使用される。また、収納部Ａの内面側の生地として保冷・保温シートＡｉが使用されず、通常の生地が使用されることもある。
【００４５】
また、収納部Ａ，覆いカバーＢ又は手提げ部６の何れかに、締付バンド７が装着される実施形態も存在する(図６参照)。該締付バンド７の実施形態としては、環状のものであり、具体的には、ゴムバンド，ゴム紐等の弾性伸縮する材質ものものが使用される〔図６(Ａ)参照〕。そして、環状の締付バンド７が覆いカバーＢの第１覆い部３３で且つ手提げ
部６の付根箇所に縫いつけられたループ状の連結布７１を介して買物用バッグに備えられている〔図６（Ａ）参照〕。また、締付バンド７の別の実施形態として布ファスナ付きのバンド(帯部材)としたものが存在する〔図６（Ｂ）参照〕。さらに、締付バンド７の別の実施形態では雄ホックと雌ホックが先端箇所に設けられたものが存在する〔図６（Ｃ）参照〕。
【００４６】
締付バンド７は、その一部が収納部Ａ，覆いカバーＢ又は手提げ部６に縫い付け固着される。図６（Ａ）は、前述したように、締付バンド７は、覆いカバーＢの第１覆い部３３又は第２覆い部３４で、手提げ部６の付根箇所に縫いつけられたものである。締付バンド７は、本考案の買物用バッグにおける折り畳まれロール状に巻き付けられた収納部Ａ，覆いカバーＢを外周から締付固定するものである。図６（Ｂ）では、締付バンド７は覆いカバーＢに設けられている。また図６（Ｃ）では、締付バンド７は収納部Ａに設けられている。
【００４７】
本考案の買物用バッグにおける使用法を述べる。スーパーマーケット，コンビニエンスストア，デパートの食品売り場等にて買物を終了しレジで支払いを通過したら、本考案の買物用バッグの収納部Ａを店舗に備えられた店舗用カゴＣに収納する。そして、購入した食材等の商品を、収納部Ａに収納してゆく。収納部Ａへの全部の商品の収納が終了したら、覆いカバーＢの第１マチ覆い部３１と第２マチ覆い部３２を外方に突出するようにして折り畳み、ファスナ４で閉じる。
【００４８】
そして、長ネギ，ゴボウ等の長尺野菜ｖを購入して、これらを収納部Ａに収納するときには、その長尺野菜ｖを収納部Ａに収納し、収まりきれない部分は、覆いカバーＢの第１マチ覆い部３１或いは第２マチ覆い部３２の何れかのスリット部Ｓから突出させる。この長尺野菜ｖの一部がスリット部Ｓから突出した状態であっても、ファスナ４にて覆いカバーＢを閉じることができる（図４参照）。このように、長ネギ，ゴボウ等の長尺野菜ｖを、本考案の買物用バッグの収納部Ａに収納したときに、長尺野菜ｖの全体を収納しきれない場合であっても、スリット部Ｓから長尺野菜ｖの一部を突出させることができ、商品の形状を崩すことなく収納でき、購入物の収納を行うことができる。
【００４９】
第１マチ覆い部３１及び第２マチ覆い部３２におけるスリット部Ｓは、幅方向に広げることができるので、大根等の太い野菜も一部をスリット部Ｓから突出させることができる。また、第１マチ覆い部３１及び第２マチ覆い部３２は、覆いカバーＢの外方に二つ折りに突出させたときに、外雄ホック５１と外雌ホック５２によって、二つ折り状態が固定され、使い易い状態にすることができる。また、買物用バッグを使用しないときには、第１マチ覆い部３１と第２マチ覆い部３２とは、それぞれが上下方向に沿う折れ線に沿って二つ折り状態にとして、収納部Ａの内方に引き込むように折り畳め、内雄ホック５３と内雌ホック５４とで固定する。
【００５０】
次に、本考案の第２実施形態における買物用バッグにおいて、コンパクトにまとめる折り畳み行程を説明する。まず、収納部Ａにおける第１マチ部１１及び第２マチ部１２を折り畳み状態として、第１側面部１３と第２側面部１４を重ねるようにセットする。同時に、覆いカバーＢの第１マチ覆い部３１と第２マチ覆い部３２も同様に折り畳み状態とし、第１覆い部３３と第２覆い部３４を重ねるようにセットする。
【００５１】
また、底面部２は、第１側面部１３又は第２側面部１４に折り畳むようにして重ねる〔図６（Ａ）参照〕。次に、第１側面部１３又は第２側面部１４の何れかを正面とし、その長手方向の中央で折り曲げる〔図６（Ｂ）参照〕。次に、買物用バッグの正面より見て右側部分を折り曲げて略長方形状となる折り畳み状態とする〔図６（Ｃ）参照〕。このとき、手提げ部６は、収納部Ａと覆いカバーＢと共に内部に収まるようにセットすることが好ましい。そして、そのままロール状に折り畳む〔図６（Ｄ）参照〕。ロール状に巻き付けられた買物用バッグを、具備された締付バンド７によって締め付け固定する〔図６（Ｅ）参照〕。
【符号の説明】
【００５２】
Ａ…収納部、１１…第１マチ部、１２…第２マチ部、１３…第１側面部、
１４…第２側面部、２…底面部、Ｂ…覆いカバー、３１…第１マチ覆い部、
３１１ａ，３１２ａ…端縁、３２…第２マチ覆い部、３２１ａ，３２２ａ…端縁、
３３…第１覆い部、３４…第２覆い部、４…ファスナ、５１…外雄ホック、
５２…外雌ホック、５３…内雄ホック、５４…内雌ホック、６…手提げ部、
７…締付バンド、Ｓ…スリット部、Ａｉ…保冷・保温シート。
【図１】
0003229210.tif 000003
【図２】
0003229210.tif 000004
【図３】
0003229210.tif 000005
【図４】
0003229210.tif 000006
【図５】
0003229210.tif 000007
【図６】
0003229210.tif 000008
【図７】
0003229210.tif 000009